(57)【要約】      （修正有）【課題】位置決め部材を利用してホーゼルと連接スリーブを同時に固定することにより、加工の製造工程が行い易くなると共に、製品の精密度を高める。【解決手段】ホーゼル１はゴルフクラブヘッドに設けられると共に、ホーゼル１の両端にはそれぞれ開口１１と少なくとも一個の結合溝１３が設けられ、開口１１はゴルフクラブヘッドの外表面に露出するように形成される。連接スリーブ２はホーゼル１内に収容され、連接スリーブ２には結合溝１３と互いに位置合せして設置するための位置決め溝２５が形成され、連接スリーブ２はシャフト６の一端を収容するのに用いられる。位置決め部材３はホーゼル１の結合溝１３と連接スリーブ２の位置決め溝２５内に嵌合して固定される。固定スリーブ４はホーゼル１に結合されて連接スリーブ２とシャフト６を固定するように構成されている。【選択図】図２
0003140682.tif 000002
【実用新案登録請求の範囲】
【請求項１】
ホーゼル（１）、連接スリーブ（２）、位置決め部材（３）および固定スリーブ（４）を含むゴルフクラブヘッドの位置決めの連接ユニットであって、ホーゼル（１）はゴルフクラブヘッドに設けられると共に、ホーゼル（１）の両端にはそれぞれ開口（１１）と少なくとも一個の結合溝（１３）が設けられ、開口（１１）は上記ゴルフクラブヘッドの外表面に露出するように形成され、連接スリーブ（２）はホーゼル（１）内に収容され、連接スリーブ（２）には結合溝（１３）と互いに位置合せして設置するための位置決め溝（２５）が形成され、連接スリーブ（２）はシャフト（６）の一端を収容するのに用いられ、位置決め部材（３）はホーゼル（１）の結合溝（１３）と連接スリーブ（２）の位置決め溝（２５）内に嵌合して固定され、固定スリーブ（４）はホーゼル（１）に結合されて連接スリーブ（２）とシャフト（６）を固定するように形成されることを特徴とするゴルフクラブヘッドの位置決めの連接ユニット。
【請求項２】
ホーゼル（１’）の結合溝（１３’）はホーゼル（１’）の半径方向の周壁を貫穿するように形成されることを特徴とする請求項１記載のゴルフクラブヘッドの位置決めの連接ユニット。
【請求項３】
ホーゼル（１”）の結合溝（１３”）はホーゼル（１”）の半径方向の周壁の内周面に凹むように設けられることを特徴とする請求項１記載のゴルフクラブヘッドの位置決めの連接ユニット。
【請求項４】
ホーゼル（１’）の開口（１１）から離れる一端には他に底板（１４）が形成されるのに対し、位置決め部材（３’）にはホーゼル（１’）の底板（１４）と互いに貼接するための結合板（３２）が形成されることを特徴とする請求項１記載のゴルフクラブヘッドの位置決めの連接ユニット。
【請求項５】
結合溝（１３’）はホーゼル（１’）の底板（１４）を貫穿することにより、位置決め部材（３’）が穿設するのに用いられることを特徴とする請求項４記載のゴルフクラブヘッドの位置決めの連接ユニット。
【請求項６】
シャフト（６）は連接スリーブ（２）の挿入口（２２）を貫穿して連接スリーブ（２）内に収容され、そして連接スリーブ（２）には他に複数個の嵌合爪（２４）が形成され、嵌合爪（２４）は挿入口（２２）の周縁に配置され、嵌合爪（２４）は固定スリーブ（４）が押圧するのに用いられることを特徴とする請求項１記載のゴルフクラブヘッドの位置決めの連接ユニット。
【請求項７】
ホーゼル（１）には他に内ねじ（１２）が形成され、内ねじ（１２）はホーゼル（１）の内周面において開口（１１）に隣接するように設けられ、そして固定スリーブ（４）には他に外ねじ（４１）が形成され、外ねじ（４１）は固定スリーブ（４）の外周面において内ねじ（１２）に隣接するように設けられ、外ねじ（４１）を内ねじ（１２）に螺合することにより、固定スリーブ（４）とホーゼル（１）を結合することを特徴とする請求項１記載のゴルフクラブヘッドの位置決めの連接ユニット。
【請求項８】
固定スリーブ（４）の内周面には押圧面（４２）が形成され、押圧面（４２）は連接スリーブ（２）によりシャフト（６）を押圧して固定するように形成されることを特徴とする請求項１記載のゴルフクラブヘッドの位置決めの連接ユニット。
【考案の詳細な説明】
【技術分野】
【０００１】
本考案は、ゴルフクラブヘッドの位置決めの連接ユニットに関するもので、特に位置決め部材を利用してホーゼルと連接スリーブを同時に固定することができるゴルフクラブヘッドの位置決めの連接ユニットに係るものである。
【背景技術】
【０００２】
従来のゴルフクラブヘッドの位置決めの連接ユニットの構造としては、アメリカ特許番号第７，１１５，０４６号の「取外し可能なヘッドとシャフトの連接部材を有するゴルフクラブヘッド（Golf Club with Interchangeable Head-Shaft Connection）」においては、ヘッド、スリーブ、固定部材およびシャフトが含まれている。上記ヘッドには上記スリーブが穿設するためのホーゼルが設けられる。上記スリーブの一端は上記ヘッドから露出すると共に、上記スリーブには上記シャフトが挿入するための開口が形成される。上記スリーブが上記開口に近接する外周面には外ねじ部が設けられ、そして上記外ねじ部から上記ヘッドから遠く離れる方向に沿って延伸するように複数個の爪部が形成される。上記スリーブのもう一端の内端面には固定リブが設けられ、さらに上記スリーブにおいて上記固定リブを有する一端の外表面は粘着剤を利用して上記ヘッドのホーゼルの内側の壁面に粘着される。上記固定部材は上記スリーブとシャフトが穿設して通過するのに用いられ、さらに上記固定部材の内表面には内ねじ部が環設され、上記内ねじ部は上記ヘッドに近接するように環設されることにより、上記スリーブの外ねじ部と螺合することができる。その他に、上記シャフトが上記スリーブに挿入する端面には固定溝が設けられ、上記固定溝は上記スリーブの固定リブに結合されるようにとしたものがある（例えば、特許文献１を参照）。
【０００３】
上記従来のゴルフクラブヘッドの位置決めの連接ユニットの構造を結合しようとする時、先ず上記シャフトを上記固定部材に貫穿し、そして上記スリーブの開口から上記スリーブ内に挿入することにより、上記シャフトの固定溝を上記スリーブの固定リブに対応するように結合する。それから、上記固定部材を上記スリーブの爪部の半径方向の外周面に被覆し、さらに上記固定部材の内ねじ部を上記外ねじ部に位置合せして螺合を行うことにより、上記固定部材の内周面を上記スリーブの爪部の半径方向の外周面に圧迫させるため、上記爪部の半径方向の内周面も上記シャフトを緊密に圧迫するように形成される。上述した構造と操作を利用することにより、上記スリーブと固定部材を通して取外し可能に上記ヘッドとシャフトを緊密に結合することができる。その中に、上記スリーブの内端面とシャフトに設けられる固定リブと固定溝は上記スリーブとシャフトとの間の半径方向の相対の位置を固定するのに用いられ、すなわち上記スリーブと固定部材を螺合する時、上記シャフトが上記固定部材の連動により回転するのを避けることができる。さらに上記固定リブと固定溝により上記スリーブとシャフトとの間の接触面積を増やすことができるため、両者の間の結合の強度をさらに強化することができる。
【特許文献１】アメリカ特許番号第７，１１５，０４６号
【考案の開示】
【考案が解決しようとする課題】
【０００４】
上記のような従来のゴルフクラブヘッドの位置決めの連接ユニットの構造においては、一般として下記の問題点を有している。例えば、上記固定リブは上記スリーブの一端の内端面に突出するように設けられるため、鋳造により上記スリーブを完成した後、長い方の刀具を利用して加工の作業を行わなければならず、このような製造工程では加工の困難度を増やすばかりか、長い方の刀具も加工の過程において折れ易くなるという問題点を有している。このように、上記のような従来のゴルフクラブヘッドの位置決めの連接ユニットの構造をさらに改良しなければならない。
【０００５】
本考案の第一の目的は、位置決め部材を利用してホーゼルと連接スリーブを同時に固定することにより、加工の製造工程が行い易くなると共に、製品の精密度を高めることができるゴルフクラブヘッドの位置決めの連接ユニットを提供しようとするものである。
【０００６】
本考案の第二の目的は、ホーゼルの一端に底板を形成し、そして位置決め部材に上記底板と貼接するための結合板を設けることにより、上記ホーゼルと位置決め部材は更なる大きい接触面積を獲得することができると共に、上記ホーゼルと位置決め部材との結合強度を高めることができるゴルフクラブヘッドの位置決めの連接ユニットを提供しようとするものである。
【０００７】
本考案の第三の目的は、ホーゼルの半径方向の周壁に複数個の結合溝を凹むように設け、上記結合溝は位置決め部材の結合端部が固定するのに用いられることにより、上記位置決め部材を上記ホーゼル内に精確にかつ安定して固定することができるゴルフクラブヘッドの位置決めの連接ユニットを提供しようとするものである。
【課題を解決するための手段】
【０００８】
上記目的を達成するために、本考案によるゴルフクラブヘッドの位置決めの連接ユニットは、ホーゼル、連接スリーブ、位置決め部材および固定スリーブを含む。ホーゼルはゴルフクラブヘッドに設けられると共に、ホーゼルの両端にはそれぞれ開口と少なくとも一個の結合溝が設けられ、開口はゴルフクラブヘッドの外表面に露出するように形成される。連接スリーブはホーゼル内に収容され、連接スリーブには結合溝と互いに位置合せして設置するための位置決め溝が形成され、連接スリーブはシャフトの一端を収容するのに用いられる。位置決め部材はホーゼルの結合溝と連接スリーブの位置決め溝内に嵌合して固定される。固定スリーブはホーゼルに結合されて連接スリーブとシャフトを固定するように形成される。
【０００９】
本考案によるゴルフクラブヘッドの位置決めの連接ユニットは、ホーゼルの結合溝をホーゼルの半径方向の周壁を貫穿するように形成することもできる。また、ホーゼルの結合溝をホーゼルの半径方向の周壁の内周面に凹むように設けることもできる。また、ホーゼルの開口から離れる一端には他に底板が形成されるのに対し、位置決め部材にはホーゼルの底板と互いに貼接するための結合板が形成されることもできる。また、結合溝はホーゼルの底板を貫穿することにより、位置決め部材が穿設するのに用いられることもできる。また、シャフトは連接スリーブの挿入口を貫穿して連接スリーブ内に収容され、そして連接スリーブには他に複数個の嵌合爪が形成され、嵌合爪は挿入口の周縁に配置され、嵌合爪は固定スリーブが押圧するのに用いられることもできる。また、ホーゼルには他に内ねじが形成され、内ねじはホーゼルの内周面において開口に隣接するように設けられ、そして固定スリーブには他に外ねじが形成され、外ねじは固定スリーブの外周面において内ねじに隣接するように設けられ、外ねじを内ねじに螺合することにより、固定スリーブとホーゼルを結合することもできる。また、固定スリーブの内周面には押圧面が形成され、押圧面は連接スリーブによりシャフトを押圧して固定するように形成されることもできる。
【考案の効果】
【００１０】
本考案のゴルフクラブヘッドの位置決めの連接ユニットによれば、位置決め部材を利用してホーゼルと連接スリーブを同時に固定することにより、加工の製造工程が行い易くなると共に、製品の精密度を高めることができるという利点がある。
【００１１】
本考案のゴルフクラブヘッドの位置決めの連接ユニットによれば、ホーゼルの一端に底板を形成し、そして位置決め部材に上記底板と貼接するための結合板を設けることにより、上記ホーゼルと位置決め部材は更なる大きい接触面積を獲得することができると共に、上記ホーゼルと位置決め部材との結合強度を高めることができるという利点がある。
【００１２】
本考案のゴルフクラブヘッドの位置決めの連接ユニットによれば、ホーゼルの半径方向の周壁に複数個の結合溝を凹むように設け、上記結合溝は位置決め部材の結合端部が固定するのに用いられることにより、上記位置決め部材を上記ホーゼル内に精確にかつ安定して固定することができるという利点がある。
【考案を実施するための最良の形態】
【００１３】
本考案の実施の形態について、以下、図面を参照して説明する。
【実施例１】
【００１４】
図１、２、３を参照すると、本考案の実施例１のゴルフクラブヘッドの位置決めの連接ユニットにはホーゼル１、連接スリーブ２、位置決め部材３および固定スリーブ４が含まれ、そしてホーゼル１は一体成形になるようにゴルフクラブヘッドの上部５に形成される。
【００１５】
ホーゼル１には開口１１、内ねじ１２と少なくとも一個の結合溝１３が形成される。開口１１はホーゼル１の一端に設けられ、そして開口１１は上部５の外表面に露出するように形成される。内ねじ１２はホーゼル１の内周面に環設され、そして内ねじ１２は開口１１に隣接するように設けられる。結合溝１３はホーゼル１の他端に設けられ、そして結合溝１３はホーゼル１の半径方向の周壁を貫穿するように形成される。さらに結合溝１３は一定の深さを有するように形成され、そして上記深さはホーゼル１の一端から開口１１に向かって延伸するように形成されることにより、位置決め部材３が嵌合して固定するのに用いられることができる。
【００１６】
連接スリーブ２には収容溝２１、挿入口２２、複数個の区切り溝２３、複数個の嵌合爪２４と位置決め溝２５が形成され、そして連接スリーブ２はちょうどホーゼル１内に収容されることができる。収容溝２１は連接スリーブ２内に凹むように設けられる。挿入口２２は連接スリーブ２の一端に位置するように形成され、そして連接スリーブ２がホーゼル１内に収容される時、挿入口２２はホーゼル１の開口２２に近接するように形成されることにより、シャフト６の一端が挿入口２２を貫穿し、そしてシャフト６を収容溝２１内に収容することができる。区切り溝２３は挿入口２２と連通するように形成され、そして一方の方向に沿って延伸するように形成され、さらに挿入口２２の周縁には複数個の嵌合爪２４が形成される。その中に、区切り溝２４の延伸方向は挿入口２２から連接スリーブ２の他端に向かって延伸するように形成される。位置決め溝２５は連接スリーブ２の挿入口２２から離れる一端に位置するように形成され、そして連接スリーブ２がホーゼル１内に収容される時、位置決め溝２５の位置はホーゼル１の結合溝１３に対応するように形成されることにより、位置決め部材３は結合溝１３と位置決め溝２５を同時に嵌合するように形成される。
【００１７】
位置決め部材３の形状は結合溝１３と位置決め溝２５の形状とは互いに補うように形成され、そして位置決め部材３の少なくとも一個の結合端部３１は溶接の製造工程または粘着の製造工程により溶接剤または粘着剤を利用して結合溝１３に固定される。その他に、位置決め部材３と位置決め溝２５との間も溶接または粘着の方式により固定を行うことができる。本考案の実施例１において、結合溝１３と結合端部３１の数は選択的に全て二個である。これにより、位置決め部材３により連接スリーブ２がホーゼル１に相対して回動するのを防止することができる。
【００１８】
固定スリーブ４には外ねじ４１と押圧面４２が形成され、そして固定スリーブ４は嵌合爪３５の少なくとも一部分を収容すると共に、固定スリーブ４はシャフト６が貫穿するのに用いられる。外ねじ４１は固定スリーブ４の外周面に設けられることにより、外ねじ４１はホーゼル１の内ねじ１２と互いに螺合することができる。押圧面４２は固定スリーブ４の内周面に設けられ、そして固定スリーブ４がホーゼル１に結合される時、押圧面４２は連接スリーブ２の嵌合爪２４を押圧するように形成されることにより、固定スリーブ４は押圧面４２と嵌合爪２４によりシャフト６と連接スリーブ２の相対の位置を嵌合して固定することができる。これにより、固定スリーブ４は安定してホーゼル１と連接スリーブ２を結合して固定することができる。
【００１９】
再び図２、３を参照すると、本考案の実施例１のゴルフクラブヘッドの位置決めの連接ユニットを組み立てようとする時、先ず連接スリーブ２と位置決め部材３をそれぞれホーゼル１の両端からホーゼル１内に挿入し、そして位置決め部材３を同時に結合溝１３と位置決め溝２５内に挿入して嵌合する。それから、溶接または粘着の製造工程を利用して位置決め部材３の結合端部３１を結合溝１３内に固定したり、或いは同時に溶接または粘着の製造工程を利用して位置決め部材３を位置決め溝２５内に固定したりすることができる。シャフト６の一端を連接スリーブ２の挿入口２２に通過させて収容溝２１内に収容させる。固定スリーブ４を連接スリーブ２の嵌合爪２４の外周面に被覆させ、固定スリーブ４が外ねじ４１と内ねじ１２によりホーゼル１にねじ込まれた時、押圧面４２が嵌合爪２４を圧迫することにより、嵌合爪２４は緊密にシャフト６を嵌合することができる。これにより、固定スリーブ４は連接スリーブ２とシャフト６の一端をホーゼル１内に位置決めすることにより、ホーゼル１とシャフト６を連接することができる。さらに固定スリーブ４とホーゼル１を螺合する時、位置決め部材３により連接スリーブ２がホーゼル１に相対して回動するのを有効に防止することができる。これにより、ホーゼル１から独立した位置決め部材３は加工の製造工程を行い易くなり、そして加工を完成してから始めてホーゼル１と嵌合して固定することができる。
【実施例２】
【００２０】
図４、５を参照すると、本考案の実施例２のゴルフクラブヘッドの位置決めの連接ユニットが掲示される。実施例１のホーゼル１と比較してみると、実施例２においてホーゼル１’の開口１１から離れる一端には一体成形により底板１４が形成される。そしてホーゼル１’の結合溝１３’はホーゼル１’の半径方向の周壁に設置しておらず、結合溝１３’は底板１４を貫穿して設置するように形成される。その他に、実施例１の位置決め部材３と比較してみると、実施例２において位置決め部材３’に結合端部が設けられておらず、位置決め部材３’には他に結合板３２が設けられる。これにより、位置決め部材３’とホーゼル１’が互いに接合する時、位置決め部材３’はホーゼル１’の結合溝１３’を貫穿し、そしてホーゼル１’の内表面から突き出て位置決め溝２５に嵌合するように形成される。さらに底板１４と結合板３２は互いに貼接し、そして溶接または粘着の製造工程により固定されるため、位置決め部材３’とホーゼル１’との間の接触面積を増やすことができると共に、結合強度を高めることができる。
【実施例３】
【００２１】
図６を参照すると、本考案の実施例３のゴルフクラブヘッドの位置決めの連接ユニットが掲示される。実施例１のホーゼル１、連接スリーブ２および位置決め部材３と比較してみると、実施例３においてホーゼル１”には四個の結合溝”が形成される。それぞれの結合溝１３”はホーゼル１”の半径方向の周壁を貫穿しておらず、そして半径方向の周壁の内周面に凹むように設けられる。さらに、実施例３において連接スリーブ２’の位置決め溝２５’の横の断面は十字状に形成され、そして位置決め溝２５’はそれぞれの結合溝１３”の位置とは互いに位置合わせるように形成される。その他に、実施例３の位置決め部材３”の横の断面も結合溝１３”および位置決め溝２５’と対応するように十字状に形成され、そして位置決め部材３”には四個の結合端部３１’が形成されることにより、溶接または粘着の方式により結合溝１３”内に固定することができる。これにより、位置決め部材３”をホーゼル１”との相対の位置に精確に固定することができる。
【産業上の利用可能性】
【００２２】
上述の如く、従来のゴルフクラブヘッドの位置決めの連接ユニットによれば、固定リブは一体成形になるようにスリーブの一端の内端面に突出して設けられることにより、鋳造により上記スリーブを完成した後、長い方の刀具を利用して加工の作業を行わなければならないため、加工の困難度を増やすばかりか、長い方の刀具も加工の過程において摩損率が高くなるという問題点があったが、図２に示す本考案のゴルフクラブヘッドの位置決めの連接ユニットによれば、ホーゼル１から独立した位置決め部材３は加工を完成してから始めてホーゼル１に固定されるため、さらに固定スリーブ４をホーゼル１に螺合することにより、ホーゼル１、連接スリーブ２と固定スリーブ４との相対の位置を同時に固定することができるため、加工の困難度を低く抑えることができると共に、刀具の摩損率を低く抑えることができる。
【００２３】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２４】
【図１】本考案の実施例１のゴルフクラブヘッドの位置決めの連接ユニットによる組み立てられた状態の正面図である。
【図２】本考案の実施例１のゴルフクラブヘッドの位置決めの連接ユニットによる局部拡大斜視図である。
【図３】本考案の実施例１のゴルフクラブヘッドの位置決めの連接ユニットによる組み立てられた状態の局部拡大断面図である。
【図４】本考案の実施例２のゴルフクラブヘッドの位置決めの連接ユニットによる局部拡大斜視図である。
【図５】本考案の実施例２のゴルフクラブヘッドの位置決めの連接ユニットによる組み立てられた状態の局部拡大断面図である。
【図６】本考案の実施例３のゴルフクラブヘッドの位置決めの連接ユニットによる局部拡大斜視図である。
【符号の説明】
【００２５】
１    ホーゼル                        １’    ホーゼル
１”    ホーゼル                    １１    開口
１２    内ねじ                        １３    結合溝
１３’    結合溝                      １３”    結合溝
１４    底板                            ２    連接スリーブ
２’    連接スリーブ                ２１    収容溝
２２    挿入口                        ２３    区切り溝
２４    嵌合爪                        ２５    位置決め溝
２５’    位置決め溝                    ３    位置決め部材
３’    位置決め部材                  ３”    位置決め部材
３１    結合端部                      ３１’    結合端部
３２    結合板                          ４    固定スリーブ
４１    外ねじ                        ４２    押圧面
５    上部                            ６    シャフト
【図１】
0003140682.tif 000003
【図２】
0003140682.tif 000004
【図３】
0003140682.tif 000005
【図４】
0003140682.tif 000006
【図５】
0003140682.tif 000007
【図６】
0003140682.tif 000008